(57)【特許請求の範囲】
【請求項１】
複数のラックをラック列として対向配置し、該ラック列間に設けられた空間を閉空間とする天井遮蔽部材と通路遮蔽部材とを有するラック間通路遮蔽構造において、
各々のラック列の上部に設けられた天井レールの少なくとも一方の上面に天井遮蔽部材を震動吸収可能に支持し、
この天井遮蔽部材に通路遮蔽部材の上部を支持する上部レールを固定するとともに、両側の天井レールの通路遮蔽部材側の端部を天井遮蔽部材より突出させ、上記上部レールの支持部としたことを特徴とするラック間通路遮蔽構造。
【請求項２】
複数のラックをラック列として対向配置し、該ラック列間に設けられた空間を閉空間とする天井遮蔽部材と通路遮蔽部材とを有するラック間通路遮蔽構造において、
各々のラック列の上部に設けられた天井レールの少なくとも一方の上面に天井遮蔽部材を震動吸収可能に支持し、
両側の天井レールの通路遮蔽部材側の端部を天井遮蔽部材より突出させて通路遮蔽部材の上部を支持する上部レールの支持部とし、一方の支持部に上部レールを固定するとともに、他方の支持部には上部レールを固定せず支持させたことを特徴とするラック間通路遮蔽構造。
【請求項３】
前記支持部を天井レールと別体として構成したことを特徴とする請求項１または2に記載のラック間通路遮蔽構造。
【請求項４】
通路遮蔽部材を弾性変形するシートにより構成したことを特徴とする請求項１〜３の何れかに記載のラック間通路遮蔽構造。
【発明の詳細な説明】
【技術分野】
【０００１】
本発明は、サーバー室、データセンター等において用いられるラック間通路遮蔽構造に関するものである。
【背景技術】
【０００２】
サーバー室、データセンター等においては、複数のラックをラック列として対向配置し、ラック列間の空間を床部と天井遮蔽部材と通路遮蔽部材とによって閉空間とし、床部に設けた冷却空気吹き出し口からこの閉空間に冷却空気を供給する構造（例えば特許文献１）が知られている。冷却空気は各ラックの内部を通過して背後または上面から排出され、その際にラック内部を冷却するようになっている。
【０００３】
上記のラック列間の空間はオペレータ等が作業するための通路としての役割をも持つため、その通路端部には入口扉が設けられて人の出入りを可能としている。この入口扉はラック列間の天井部に掛け渡されたレール状の部材によって支持されているのが普通である。ところが地震発生時には、各ラック列の揺れが内部機器の重量や重心位置等によって異なることがあるため、このレールやその取付部などに引張応力や圧縮応力が作用し、これらの部位が損傷するおそれがあった。
【先行技術文献】
【特許文献】
【０００４】
【特許文献１】特開２００４−１８４０７０号公報
【発明の概要】
【発明が解決しようとする課題】
【０００５】
従って本発明の目的は上記した従来の問題点を解決し、ラック列間の空間を通路遮蔽部材によって外気から遮断することができ、地震発生時にも入口扉の支持レールやその取り付け部位が損傷するおそれがなく、しかも構造が簡単なラック間通路遮蔽構造を提供することである。
【課題を解決するための手段】
【０００６】
上記の課題を解決するためになされた請求項１のラック間通路遮蔽構造は、複数のラックをラック列として対向配置し、該ラック列間に設けられた空間を閉空間とする天井遮蔽部材と通路遮蔽部材とを有するラック間通路遮蔽構造において、各々のラック列の上部に設けられた天井レールの少なくとも一方の上面に天井遮蔽部材を震動吸収可能に支持し、この天井遮蔽部材に通路遮蔽部材の上部を支持する上部レールを固定するとともに、両側の天井レールの通路遮蔽部材側の端部を天井遮蔽部材より突出させ、上記上部レールの支持部としたことを特徴とするものである。
【０００７】
また同一の課題を解決するためになされた請求項２のラック間通路遮蔽構造は、複数のラックをラック列として対向配置し、該ラック列間に設けられた空間を閉空間とする天井遮蔽部材と通路遮蔽部材とを有するラック間通路遮蔽構造において、各々のラック列の上部に設けられた天井レールの少なくとも一方の上面に天井遮蔽部材を震動吸収可能に支持し、両側の天井レールの通路遮蔽部材側の端部を天井遮蔽部材より突出させて通路遮蔽部材の上部を支持する上部レールの支持部とし、一方の支持部に上部レールを固定するとともに、他方の支持部には上部レールを固定せず支持させたことを特徴とするものである。
【０００８】
なお何れの発明においても、前記支持部を天井レールと別体として構成することができ、また、通路遮蔽部材を弾性変形するシートにより構成することができる。
【発明の効果】
【０００９】
請求項１のラック間通路遮蔽構造においては、通路遮蔽部材の荷重がかかる上部レールは、天井レール上に震動吸収可能に支持された天井遮蔽部材に固定されたうえ、天井レールの通路遮蔽部材側の端部を突出させた支持部に安定に支持される。また請求項２のラック間通路遮蔽構造においては、通路遮蔽部材の荷重がかかる上部レールは、天井レールの通路遮蔽部材側の端部を天井遮蔽部材より突出させた支持部に安定に支持される。このため簡単な構造でありながら、通路遮蔽部材及び上部レールの荷重は適切に支持されるうえ、地震の際にラック列が列ごとに異なった揺れ方をしたような場合にもラック上端間の間隔変化は吸収され、上部レールやその支持部が破損されることはない。
【図面の簡単な説明】
【００１０】
【図１】本発明の実施形態を示す全体斜視図である。
【図２】ラックと天井レールを示す斜視図である。
【図３】天井レール上に天井遮蔽部材を載せた状態を示す斜視図である。
【図４】図３の部分拡大図である。
【図５】図３の部分拡大図である。
【図６】通路遮蔽部材を取付けた状態を示す部分拡大図である。
【図７】通路遮蔽部材を取付けた状態を示す部分拡大図である。
【図８】要部の拡大断面図である。
【発明を実施するための形態】
【００１１】
以下に本発明の実施形態を説明する。なお以下の実施形態では通路遮蔽部材は弾性変形するシートであるものとして説明するが、通路遮蔽部材として枠状の扉を用いても差し支えない。
【００１２】
図１は本発明の実施形態を示す全体斜視図であり、１は同一サイズの複数のラック２を列状に配置したラック列である。これらのラック列１は相互間に人が通れる程度の空間を設けて対向配置されている。以下に説明するように、この空間は床部と天井遮蔽部材４と通路遮蔽部材５とによって閉空間とされ、その内部に床面から冷却空気が供給される。なお図１ではラック列１として３個のラック２が図示されているが、実際にはさらに多数のラック２によりラック列１が構成されることが多い。
【００１３】
図２に示すように、各々のラック２の天井には天井レール３が設けられ、図３に示すようにこれらの両側の天井レール３上に天井遮蔽部材４を載せて通路の天井を構成している。前記したように地震の際にはラック列１が列ごとに異なった揺れ方をすることがあり、天井遮蔽部材４の両端を両側の天井レール３に強固に固定しておくと破壊されることがある。そこで本発明では、天井レール３の少なくとも一方の上面に天井遮蔽部材４を震動吸収可能に支持させてある。すなわち、天井遮蔽部材４の片側を天井レール３に固定し、反対側は天井レール３の上面に単に支持させておくか、両側ともに固定せず、端部のみ外れないようにしておく。後者の場合には天井遮蔽部材４と天井レール３との接触面を傾斜面とし、自重により常時は中央に位置させることが好ましい。このように天井遮蔽部材４を震動吸収可能、すなわちラック列１，１間の幅方向に移動可能に保持させておけば、地震の際に各々のラック２が違った動きをしても天井遮蔽部材４が破損することはない。なお、固定側の天井レール３と天井遮蔽部材４とはゴム製の取付具１５により固定されている。
【００１４】
この実施形態では、天井遮蔽部材４はラック２の横幅分の単位長とした鋼材の枠部の内側に、内部に連続したトンネル状の空間部を形成した樹脂板６を嵌め込んだ構造として軽量化を図っているが、この構造に限定されるものではない。しかしある程度の剛性を持つものとすることが好ましい。
【００１５】
図１に示されるように、ラック列１の端部には通路遮蔽部材５が設けられている。この実施形態では通路遮蔽部材５はシート状のものであり、その上端は上部レール７に支持されている。この実施形態では、端部のラック２に装着された天井遮蔽部材４の枠部に図４、図５に示すように外側に向かって複数の略Ｌ字状の腕部８が固定され、この腕部８に上部レール７が係合されている。また図４、図５に示すように、両側の天井レール３の通路遮蔽部材側の端部を天井遮蔽部材５よりも突出させ、上部レール７の支持部９を構成している。この実施形態では、天井レール３の端部に支持金具１０を別に装着して支持部９としたが、天井レール３の端部と支持部９とは一体としてもよい。なおこの支持金具１０は後述する縦レール１４と上部レール７との間の空間からの冷却空気の漏れを防ぐ効果も持つ。
【００１６】
通路遮蔽部材５は好ましくはビニール製のシートからなり、中央に人の出入り時に開閉される中央ファスナー１１と両側部に機器搬入時に大きく開くことができるように左右ファスナー１２が設けられている。なお、人が出入りする場合でも左右ファスナー１２を開けてもよいし、機器の搬入を中央ファスナー１１を開けて行ってもよく、この点は特に限定されるものではない。
【００１７】
通路遮蔽部材５は上部レール７の上面からまわり込むように巻きつけた後、図８に示される略Ｌ字状の固定レール１３で固定され、強固に上部レール７に固定されている。なお、通路遮蔽部材５の側部は面ファスナー等で、ラックの側面に固定された断面略コ字状の縦レール１４の内面に係止されている。通路内の冷却空気の圧力により通路遮蔽部材５であるシートには押し出される方向に力が加わるので、シートの係止部は縦レール１４の外側の平行片に係止するのが好ましい。
【００１８】
このような構造としておけば、簡単な構成で通路遮蔽部材５を係止でき、冷却空気が漏れ出るのを防いでおり、通路遮蔽部材５に人や搬入機器等が接触した場合にも面ファスナーが外れて破損することがない。特に側部を断面コ字状の縦レール１４で係止した構造とすれば冷却空気の漏れを効果的に防ぐことができ、また前面から通路遮蔽部材５の側面を隠蔽することができるので美観が優れるものである。縦レール１４はラック側の辺がない略Ｌ字状金具でもよい。このようにラック側面に対して垂直片と平行片を備える略Ｌ字状もしくは略コ字状のレール等を用いることによってシートの係止及び冷却空気の漏れを防ぐことができる。
【００１９】
なお、通路遮蔽部材５であるシートの下部にウェイトを入れておけば、冷却空気の流れによるばたつきを防ぐことができ、冷却空気の漏れを防ぐことができる。ウェイトを入れるには、シートの下端を熱溶着させてロール状に形成し、その中にウェイトを入れることができる。また、ウェイトをシートの下端に直接接着してもよい。このようにウェイトを用いれば、通路遮蔽部材５として価格が安い薄いシートを用いることができる。またシートを厚みのあるものとすれば、シートの自重によってばたつきを抑えることができるため単に切れ込みを形成しておくだけでよく、ファスナーを不要とすることができる。
【００２０】
この実施形態では、天井遮蔽部材４と天井レール３はラック２の横幅と略同様の寸法に構成され、前記支持部９は上部レール７と別体として構成して、通路遮蔽部材側端部でラック２の側面から突出するように支持金具１０を天井レール３にねじにて固定したものとしている。そして天井レール３は天井遮蔽部材４に固定されるとともに、両方のラック２の天井レール３の通路遮蔽部材側端部の支持部９に載せてあるので適切に荷重を支えることができる。この実施形態では支持部９は天井レール３に別体に設けた支持金具１０を固定したものであったので、いずれのラック２の天井レール３も同じものを使用できるが、通路遮蔽部材側のラックに用いる天井レール３を専用で製作した場合には、天井レール３と支持部である支持金具１０を一体に形成することができる。なお、支持部９は上部レール７と前記コ字状の縦レール１４との間に位置して冷却空気の漏れを防いでいる。縦レール１４はラック２に固定されており、上部レール１２との間には地震の際に干渉しないように隙間を形成している。
【００２１】
以上に説明したように、本発明によれば簡単な構成で地震の際にも破損することがなく、美観にも優れるラック列通路遮蔽構造とすることができ。
【００２２】
上記した請求項１の発明の実施形態では、天井遮蔽部材４に通路遮蔽部材５の上部を支持する上部レール７を固定した。天井遮蔽部材４はラック列１に対して震動吸収可能、すなわち移動可能に支持されているので、上部レール７も地震により破壊されることがない。しかし請求項２の発明のように、両側の天井レール３の通路遮蔽部材側の端部を天井遮蔽部材４より突出させて上部レール７の支持部９とし、一方の支持部９に上部レール７を固定するとともに、他方の支持部９には上部レールを固定せずに載せて支持させた構造とすることもできる。この構造によっても、上部レール７を地震による破壊から保護することができる。
【符号の説明】
【００２３】
１    ラック列
２    ラック
３    天井レール
４    天井遮蔽部材
５    通路遮蔽部材
６    樹脂板
７    上部レール
８    腕部
９    支持部
１０  支持金具
１１  中央ファスナー
１２  左右ファスナー
１３  固定レール
１４  縦レール
１５  取付具
【図１】
0005404520.tif 000002
【図２】
0005404520.tif 000003
【図３】
0005404520.tif 000004
【図４】
0005404520.tif 000005
【図５】
0005404520.tif 000006
【図６】
0005404520.tif 000007
【図７】
0005404520.tif 000008
【図８】
0005404520.tif 000009